(57)【特許請求の範囲】
【請求項１】
金属部材及び樹脂部材の複合部材で構成されて、建築物の開口部に上枠、下枠及び縦枠を有し四方枠状に形成された枠体を設置する枠体設置工程と、
前記枠体に形成されたガラス保持溝にガラスパネルの端部を挿入して、前記枠体内にガラスパネルを納めるガラスパネル設置工程と、
前記ガラスパネルの屋内側を保持する金属押縁、及び前記金属押縁の前記屋内側に連結され伸長可能に構成された樹脂押縁体を有し上下方向に延びる押縁を、前記縦枠に沿って配置する押縁配置工程と、
前記金属押縁を前記縦枠の前記金属部材に固定する金属押縁固定工程と、
前記樹脂押縁体を上下方向に伸長させて前記枠体の前記樹脂部材に固定する樹脂押縁体固定工程と、を備えることを特徴とする建具の施工方法。
【請求項２】
前記樹脂押縁体は、前記上下方向に延びる樹脂押縁と、前記樹脂押縁の端部に該樹脂押縁に対して前記上下方向にスライド可能に設けられたスライド部と、を有し、
前記樹脂押縁体固定工程では、前記スライド部を前記樹脂押縁から前記上下方向にスライドさせて、前記スライド部の端部を前記枠体の前記樹脂部材に固定する請求項１に記載の建具の施工方法。
【請求項３】
前記ガラスパネル設置工程では、前記枠体に形成されたガラス保持溝にガラスパネルの端部を挿入して、前記枠体内にガラスパネルを納め、
前記押縁配置工程では、前記押縁の上下端部を、前記上枠の前記ガラス保持溝及び前記下枠の前記ガラス保持溝の少なくとも一方に挿入して、前記押縁を前記縦枠側に移動させる請求項１または２に記載の建具の施工方法。
【請求項４】
前記金属押縁固定工程では、前記金属押縁を前記金属部材で構成された前記枠体に嵌合し、
前記樹脂押縁体固定工程では、前記樹脂押縁体を前記樹脂部材で構成された前記枠体に嵌合する請求項１から３のいずれか一項に記載の建具の施工方法。
【請求項５】
上枠、下枠及び縦枠を有し四方枠状に形成された枠体と、
該枠体内に納められるガラスパネルと、
前記ガラスパネルを保持する押縁と、を備え、
前記枠体は、
前記ガラスパネルの下端部が配置されるガラス保持溝が設けられた金属下枠と、
前記金属下枠に連結され、該金属下枠の上部の屋内側に配置された樹脂下枠と、を有し、
前記押縁は、
上下方向に延び下端部が前記金属下枠に当接するとともに、前記ガラスパネルの前記屋内側を保持する金属押縁と、
前記上下方向に延び該金属押縁の前記屋内側に連結された樹脂押縁と、
前記樹脂押縁の下端部に設けられ、前記上下方向にスライド可能に構成されたスライド部と、を有し、
前記スライド部は、前記樹脂下枠に当接可能に構成されていることを特徴とする建具。
【発明の詳細な説明】
【技術分野】
【０００１】
本発明は、構造物の開口部に設けられる建具の施工方法及び建具に関するものである。
【背景技術】
【０００２】
従来から、構造物の開口部に設けられる建具として、屋外側に配置される金属枠と屋内側に配置される樹脂枠とで構成された枠体内に、ガラス等のパネル体が納められた複合サッシが知られている。
【０００３】
例えば、下記の特許文献１に記載のサッシでは、パネル体は、屋外側の面を金属枠で保持されるとともに、屋内側の面を樹脂材の押縁部材で保持されている。また、火災時等にパネル体が枠体から脱落しないように、金属材からなるパネル止め部材が金属枠の上辺及び縦辺にそれぞれ設けられている。
【先行技術文献】
【特許文献】
【０００４】
【特許文献１】特開２０１２−３１５８９号公報
【発明の概要】
【発明が解決しようとする課題】
【０００５】
しかしながら、上記の特許文献１に記載されたサッシでは、パネル体を保持する押縁部材及びパネル止め部材を取り付けなくてはならず、施工が煩わしいという問題点がある。
【０００６】
そこで、本発明は、上記事情に鑑みてなされたものであり、ガラスパネルを保持する部材を簡易に施工することができる建具の施工方法及び建具を提供する。
【課題を解決するための手段】
【０００７】
上記目的を達成するために、本発明は以下の手段を採用している。
すなわち、本発明に係る建具の施工方法は、金属部材及び樹脂部材の複合部材で構成されて、建築物の開口部に上枠、下枠及び縦枠を有し四方枠状に形成された枠体を設置する枠体設置工程と、前記枠体に形成されたガラス保持溝にガラスパネルの端部を挿入して、前記枠体内にガラスパネルを納めるガラスパネル設置工程と、前記ガラスパネルの屋内側を保持する金属押縁、及び前記金属押縁の前記屋内側に連結され伸長可能に構成された樹脂押縁体を有し上下方向に延びる押縁を、前記縦枠に沿って配置する押縁配置工程と、前記金属押縁を前記縦枠の前記金属部材に固定する金属押縁固定工程と、前記樹脂押縁体を上下方向に伸長させて前記枠体の前記樹脂部材に固定する樹脂押縁体固定工程と、を備えることを特徴とする。
【０００８】
このように構成された建具の施工方法では、枠体のガラス保持溝にガラスパネルの端部を挿入して枠体内にガラスパネルを配置し、押縁を縦枠に沿って配置する。そして、金属押縁を縦枠の金属部材に固定し、樹脂押縁体を上下方向に伸長させて枠体の樹脂部材に固定することで、ガラスパネルを保持する押縁が枠体に固定される。よって、ガラスパネルを保持するための押縁以外の部材等を取り付ける必要がなく、ガラスパネルを保持する部材（押縁）を簡易に施工することができる。
また、押縁の金属押縁がガラスパネルを保持しているため、火災時等でも、ガラスパネルが枠体から脱落することがない。
【０００９】
また、本発明に係る建具の施工方法では、前記樹脂押縁体は、前記上下方向に延びる樹脂押縁と、前記樹脂押縁の端部に該樹脂押縁に対して前記上下方向にスライド可能に設けられたスライド部と、を有し、前記樹脂押縁体固定工程では、前記スライド部を前記樹脂押縁から前記上下方向にスライドさせて、前記スライド部の端部を前記枠体の前記樹脂部材に固定することが好ましい。
【００１０】
このように構成された建具の施工方法では、上下方向に延びる樹脂押縁の端部には、樹脂押縁に対して上下方向にスライド可能に構成されたスライド部が設けられている。よって、樹脂押縁体固定工程では、スライド部を樹脂押縁から上下方向にスライドさせて、スライド部の端部を枠体の樹脂部材下枠に固定すればよいため、簡易な構成で樹脂押縁体を伸長させることができる。
【００１１】
また、本発明に係る建具の施工方法は、前記ガラスパネル設置工程では、前記枠体に形成されたガラス保持溝にガラスパネルの端部を挿入して、前記枠体内にガラスパネルを納め、前記押縁配置工程では、前記押縁の上下端部を、前記上枠の前記ガラス保持溝及び前記下枠の前記ガラス保持溝の少なくとも一方に挿入して、前記押縁を前記縦枠側に移動させてもよい。
【００１２】
このように構成された建具の施工方法では、押縁配置工程では、押縁の上下端部を、上枠のガラス保持溝及び下枠のガラス保持溝の少なくとも一方に挿入して、押縁を縦枠側に移動させる。よって、押縁が上枠と下枠との間の長さよりも長い場合でも、ガラス保持溝を利用して押縁を設置することができる。
【００１３】
また、本発明に係る建具の施工方法は、前記金属押縁固定工程では、前記金属押縁を前記金属部材で構成された前記枠体に嵌合し、前記樹脂押縁体固定工程では、前記樹脂押縁体を前記樹脂部材で構成された前記枠体に嵌合してもよい。
【００１４】
このように構成された建具の施工方法では、金属押縁と金属部材で構成された枠体との嵌合部分は金属部材同士が連結される構成であるため、当該嵌合部分から雨水等の浸入することが抑制され、止水性を向上させることができる。
また、樹脂製の樹脂押縁体及び枠体により、断熱性を確保することができる。
【００１５】
また、本発明に係る建具は、上枠、下枠及び縦枠を有し四方枠状に形成された枠体と、該枠体内に納められるガラスパネルと、前記ガラスパネルを保持する押縁と、を備え、前記枠体は、前記ガラスパネルの下端部が配置されるガラス保持溝が設けられた金属下枠と、前記金属下枠に連結され、該金属下枠の上部の屋内側に配置された樹脂下枠と、を有し、前記押縁は、上下方向に延び下端部が前記金属下枠に当接するとともに、前記ガラスパネルの前記屋内側を保持する金属押縁と、前記上下方向に延び該金属押縁の前記屋内側に連結された樹脂押縁と、前記樹脂押縁の下端部に設けられ、前記上下方向にスライド可能に構成されたスライド部と、を有し、前記スライド部は、前記樹脂下枠に当接可能に構成されていることを特徴とする。
【００１６】
このように構成された建具では、枠体のガラス保持溝にガラスパネルの端部を挿入して枠体内にガラスパネルを配置し、押縁を縦枠に沿って配置する。そして、金属押縁でガラスパネルの屋内側を保持させ、スライド部を樹脂押縁の下端部から下方にスライドさせて、樹脂下枠に当接させる。よって、ガラスパネルを保持するための押縁以外の部材等を取り付ける必要がなく、ガラスパネルを保持する部材（押縁）を簡易に施工することができる。
また、金属押縁の下端部は金属下枠に当接しているため、金属押縁と金属下枠との間に隙間が生じることがない。したがって、金属押縁と金属下枠との間に隙間が生じないため、気密性を向上させることができる。
【発明の効果】
【００１７】
本発明に係る建具の施工方法及び建具によれば、ガラスパネルを保持する部材を簡易に施工することができる。
【図面の簡単な説明】
【００１８】
【図１】本発明の一実施形態に係るＦＩＸ窓を屋内側から見た斜視図である。
【図２】図１をＡ−Ａで切断した縦断面図である。
【図３】図２をＢ−Ｂで切断した水平断面図である。
【図４】本発明の一実施形態に係るＦＩＸ窓の下端部を屋内側から見た斜視図である。
【図５】本発明の一実施形態に係るＦＩＸ窓の下端部を屋内側から示しており、押縁を取り外した分解斜視図である。
【図６】本発明の一実施形態に係るＦＩＸ窓の押縁の斜視図である。
【図７】図６のＣ部拡大図である。
【図８】図６をＤ−Ｄで切断した縦断面図である。
【図９】図６をＥ−Ｅで切断した縦断面図である。
【図１０】本発明の一実施形態に係るＦＩＸ窓において、押縁を枠体に取り付ける様子を示す図である。
【図１１】図１０のＦ部拡大図である。
【図１２】本発明の一実施形態に係るＦＩＸ窓において、スライド部を樹脂押縁に対して下方に移動する様子を示す図である。
【図１３】図１２のＧ矢視図である。
【図１４】本発明の一実施形態に係るＦＩＸ窓において、スライド部を樹脂押縁に対して下方に移動する前の状態において、図１３をＨ−Ｈで切断した縦断面図である。
【図１５】本発明の一実施形態に係るＦＩＸ窓において、スライド部を樹脂押縁に対して下方に移動した後の状態において、図１３をＨ−Ｈで切断した縦断面図である。
【発明を実施するための形態】
【００１９】
以下、本発明の一実施形態による建具及び建具の施工方法について説明する。
まず、建具について、建築物の開口部に設けられるＦＩＸ窓（嵌め殺し窓）を例に挙げて図１から図１５に基づいて説明する。
図１は、本発明の一実施形態に係るＦＩＸ窓を屋内側から見た斜視図である。
図１に示すように、ＦＩＸ窓（建具）１００は、開口部Ｗに設けられ、四方枠状に形成された枠体１と、枠体１内に嵌め込まれた例えばペアガラス等の複層ガラス（ガラスパネル）２と、枠体１の左右にそれぞれ設けられ複層ガラス２を保持する押縁５と、を備えている。
なお、以下の説明において、複層ガラス２の上下方向及び上下方向と交差して複層ガラス２に沿う方向を見付け方向と称する。見付け方向のうち複層ガラス２の中心に向かう方向を見付け方向の内側とし、反対方向を見付け方向の外側と称する。また、複層ガラス２の厚み方向を見込み方向と称する。
【００２０】
枠体１は、水平方向に延在する上枠１０及び下枠２０と、上枠１０の両端部と下枠２０の両端部とをそれぞれ連結し上下方向に延在する縦枠３０と、を有している。
【００２１】
図２は、図１をＡ−Ａで切断した縦断面図である。
図２に示すように、上枠１０は、屋外側に設けられ金属製の金属上枠１０Ａと、屋内側に設けられ樹脂製の樹脂上枠１０Ｂと、を有している。金属上枠１０Ａと樹脂上枠１０Ｂとは連結されている。
【００２２】
下枠２０は、屋外側に設けられ金属製の金属下枠２０Ａと、屋内側に設けられ樹脂製の樹脂下枠２０Ｂと、を有している。金属下枠２０Ａと樹脂下枠２０Ｂとは連結されている。
【００２３】
樹脂下枠２０Ｂは、水平面に沿って形成された水平面部２０１、を有している。水平面部２０１には、上下方向に貫通する第一結露水排水孔２０１Ｈが設けられている。第一結露水排水孔２０１Ｈには、上キャップ６０が設けられている。
【００２４】
また、水平面部２０１には、上下方向に貫通する取付孔２０１Ｊ（図５参照）が設けられている。取付孔２０１Ｊは、押縁５（図５参照。以下同じ。）を取り付けるためのものであり、平面視において押縁５の直下に設けられている。
【００２５】
さらに、樹脂下枠２０Ｂは、水平面部２０１の屋外側から上下方向に交差するように設けられた立設された鉛直面部２０２と、鉛直面部２０２の上下両端部から、それぞれ屋外側に延びる係合壁部２０３，２０４と、を有している。係合壁部２０３，２０４は、金属下枠２０Ａに係合されている。
【００２６】
さらに、樹脂下枠２０Ｂは、水平面部２０１の屋内側から上下方向に交差するように設けられた立設された鉛直面部２０６と、鉛直面部２０６の上端部から、屋内側に延びる下アングル壁部２０７と、を有している。
【００２７】
樹脂下枠２０Ｂは、水平面部２０１の下面から下方に延びる支持壁部２０５を有している。支持壁部２０５は、見込み方向に離間して一対設けられている。
【００２８】
金属下枠２０Ａは、樹脂下枠２０Ｂの支持壁部２０５を支持する上段部１１０を有している。上段部１１０には、上下方向に貫通する第二結露水排水孔１１０Ｊが設けられている。第二結露水排水孔１１０Ｊには、下部弁７０が設けられている。
【００２９】
下部弁７０は、上段部１１０の上方に配置され筒状に形成された上筒状体７１と、第二結露水排水孔１１０Ｊに配置され筒状に形成された下筒状体７５と、下筒状体７５内に配置さ逆止弁機能を有する弁本体８０と、を有している。
【００３０】
樹脂下枠２０Ｂの水平面部２０１上に溜まった結露水は、上キャップ６０と樹脂下枠２０Ｂの水平面部２０１との間に形成された空間部６１Ｓから落下して、下部弁７０の内部を通過して、屋外に排出可能とされている。
【００３１】
万が一、金属下枠２０Ａ上（樹脂下枠２０Ｂの下方）に結露水が溜まった場合には、結露水は、下部弁７０の上筒状体７１と金属下枠２０Ａの上段部１１０との間に形成された隙間７１Ｓから、上筒状体７１の下部の外周面と下筒状体７５の内周面との間、及び下筒状体７５の内周面と弁本体８０の上面との間に形成された空間部から、下部弁７０の下方に落下して、屋外に排出可能とされている。
【００３２】
図３は、図２をＢ−Ｂで切断した水平断面図である。
図３に示すように、縦枠３０は、屋外側に設けられ金属製の金属縦枠３０Ａと、屋内側に設けられ樹脂製の樹脂縦枠３０Ｂと、を有している。金属縦枠３０Ａと樹脂縦枠３０Ｂとは連結されている。
【００３３】
図４は、ＦＩＸ窓１００の下端部を屋内側から見た斜視図である。図５は、ＦＩＸ窓１００の下端部を屋内側から示しており、押縁５を取り外した分解斜視図である。図４において、複層ガラス２の記載を省略している。
図３、図４及び図５に示すように、縦枠３０には、押縁５が設けられている。押縁５は、複層ガラス２の屋内側を保持し金属製の金属押縁５０Ａと、金属押縁５０Ａの屋内側に設けられ樹脂製の樹脂押縁５０Ｂと、金属押縁５０Ａ及び樹脂押縁５０Ｂの下端部に嵌め込まれる端部キャップ（スライド部）５０Ｃと、を有している。金属押縁５０Ａと樹脂押縁５０Ｂとは、連結され一体として構成されている。
本実施形態では、樹脂押縁５０Ｂ及び端部キャップ５０Ｃが、樹脂押縁体を構成している。
【００３４】
次に、縦枠３０と押縁５との連結構成について詳細に説明する。
まず、縦枠３０の構成について説明する。
図３に示すように、金属縦枠３０Ａは、図示しない壁部に固定される固定面部３１０を有している。
【００３５】
固定面部３１０は、見込み方向に沿って配置され、上下方向に延びている。固定面部３１０の内面には、樹脂縦枠３０Ｂと係合する係合爪部３１１が設けられている。
【００３６】
さらに、金属縦枠３０Ａは、固定面部３１０の屋外側の端部から該固定面部３１０と直交して延びる屋外側面部３２０と、固定面部３１０の屋内側の端部から該固定面部３１０と直交して延びる屋内側面部３３０と、固定面部３１０の見込み方向の中間部から該固定面部３１０と直交して延びる中間面部３４０と、を有している。
【００３７】
屋外側面部３２０には、屋内側に向かって突出する一対の支持片３２１，３２２が設けられている。
【００３８】
屋内側面部３３０の見付け方向の内側の端部には、樹脂縦枠３０Ｂと係合する係合爪部３３１が設けられている。
【００３９】
中間面部３４０の見付け方向の内側の端部には、屋外側に向かって突出する係合爪部３４１が設けられている。また、中間面部３４０には、屋外側に向かって突出する係合突起３４２が設けられている。係合爪部３４１及び係合突起３４２は、金属押縁５０Ａと係合されている。
【００４０】
樹脂縦枠３０Ｂは、屋内側に配置される屋内側面部３５０と、屋内側面部３５０よりも屋外側に配置される屋外側面部３６０と、屋内側面部３５０と屋外側面部３６０との間に配置される中間面部３７０と、を有している。
【００４１】
屋内側面部３５０と中間面部３７０と屋外側面部３６０とは、連結壁部３８１で連結されている。また、屋外側面部３６０と中間面部３７０とは、連結壁部３８１よりも見付け方向の内側に配置された連結壁部３８２で連結されている。
【００４２】
さらに、樹脂縦枠３０Ｂは、屋内側面部３５０の見付け方向の内側の端部と中間面部３７０の見付け方向の内側の端部とを連結する縦アングル壁部３８３を有している。縦アングル壁部３８３は、屋内側面部３５０よりも屋内側にまで延びている。
【００４３】
連結壁部３８１には、見付け方向の外側に向かって延びる係合爪部３９１が設けられている。係合爪部３９１は、金属縦枠３０Ａの係合爪部３３１に係合されている。
【００４４】
屋外側面部３６０の見付け方向の外側の端部には、金属縦枠３０Ａの固定面部３１０に沿いつつ屋外側に向かって延びる係合壁部３９２が設けられている。係合壁部３９２の端部は、金属縦枠３０Ａの係合爪部３１１に係合されている。
【００４５】
上記のように、金属縦枠３０Ａと樹脂縦枠３０Ｂとは連結されつつ、樹脂縦枠３０Ｂの縦アングル壁部３８３の下端部は樹脂下枠２０Ｂの下アングル壁部２０７に支持されている。
【００４６】
次に、押縁５の構成について説明する。
図６は、押縁５の斜視図である。
図３、図５及び図６に示すように、金属押縁５０Ａは、上下方向に延び、金属縦枠３０Ａに嵌合されている。金属押縁５０Ａは、金属縦枠３０Ａの中間面部３４０と同一平面上に配置される基部５１０を有している。基部５１０の見付け方向の外側の端部は、中間面部３４０と当接している。
【００４７】
基部５１０の見付け方向の外側の端部には、屋外側に向かって延びる突起部５１１が設けられている。突起部５１１の先端部には、見付け方向の外側に向かうにしたがって次第に屋外側に向かう係合片部５１２が設けられている。
【００４８】
突起部５１１の端部は、金属縦枠３０Ａの係合爪部３４１係合されている。係合片部５１２の先端部は、金属縦枠３０Ａの係合突起３４２と係合されている。このようにして、金属押縁５０Ａは金属縦枠３０Ａに連結されている。
【００４９】
基部５１０の見付け方向の外側の端部には、屋内側に向かって延びる係合片部５１３が設けられている。係合片部５１３の端部には、見付け方向の内側に向かって折曲された折曲片部５１４が設けられている。係合片部５１３及び折曲片部５１４は、樹脂押縁５０Ｂと係合されている。
【００５０】
基部５１０の見付け方向の内側の端部には、屋外側に向かって突出する突出片５２１が設けられている。突出片５２１の端部には、見付け方向に沿って延びる支持壁部５２２が設けられている。
【００５１】
基部５１０には、突起部５１１と突出片５２１との間に、屋外側に向かって突出片５２３が設けられている。
【００５２】
基部５１０の見付け方向の内側の端部には、屋内側に向かって延びる係合片部５１５が設けられている。係合片部５１５の端部には、見付け方向の外側に向かって折曲された折曲片部５１６が設けられている。折曲片部５１６は、樹脂押縁５０Ｂと係合されている。
【００５３】
樹脂押縁５０Ｂは、上下方向に延びている。樹脂押縁５０Ｂは、見込み方向に沿って配置された内側面部５６０と、内側面部５６０よりも見付け方向の外側に配置された外側面部５７０と、を有している。外側面部５７０には、板厚方向（見付け方向）に貫通する貫通孔５７０Ｈが形成されている。
【００５４】
内側面部５６０の屋内側の端部と外側面部５７０の屋内側の端部とは、連結壁部５８１で連結されている。また、内側面部５６０の見込み方向の中間部分と外側面部５７０の見込み方向の中間部分とは、連結壁部５８２で連結されている。内側面部５６０の屋外側の端部近傍と外側面部５７０の屋外側の端部近傍とは、連結壁部５８３で連結されている。
【００５５】
連結壁部５８１の見付け方向の外側の端部５０Ｙは、樹脂縦枠３０Ｂの縦アングル壁部３８３の屋外側の端部３０Ｙに係合されている。
【００５６】
内側面部５６０の屋外側の端部５０Ｚは、連結壁部５８３よりも屋外側にまで延びている。外側面部５７０の屋外側の端部には、見付け方向の外側に向かって延びる係合爪部５７１が設けられている。係合爪部５７１は、金属押縁５０Ａの係合片部５１３及び折曲片部５１４に係合されている。
【００５７】
連結壁部５８３には、屋外側に向かって延びる係合片部５８４が設けられている。係合片部５８４の端部には、見付け方向の内側に向かって折曲された折曲片部５８５が設けられている。折曲片部５８５は、金属押縁５０Ａの折曲片部５１６と係合されている。
【００５８】
図７は、図６のＣ部拡大図である。図８は、図６をＤ−Ｄで切断した縦断面図である。
図７及び図８に示すように、押縁５の上端部では、金属押縁５０Ａの係合片部５１３、折曲片部５１４、係合片部５１５及び折曲片部５１６は、切り欠かれて設けられていない。
【００５９】
樹脂押縁５０Ｂの係合爪部５７１は、上部Ｔ１において、切り欠かれて設けられていない。金属押縁５０Ａの係合片部５１３及び折曲片部５１４は、上部Ｔ１において、基端部５０Ｔを中心として折り込まれている。つまり、係合片部５１３及び折曲片部５１４は、上部Ｔ１よりも上側の係合爪部５７１と上部Ｔ１よりも下側の係合爪部５７１との間に挟み込まれている。
【００６０】
金属押縁５０Ａには、上部Ｔ１の上端部Ｔ２及び下端部Ｔ２に沿って、予め切込み（不図示）が設けられている。金属押縁５０Ａの係合片部５１３と折曲片部５１４との間に樹脂押縁５０Ｂの係合爪部５７１が挿入されるとともに、金属押縁５０Ａの係合片部５１５と折曲片部５１６との間に樹脂押縁５０Ｂの折曲片部５８５が挿入される。このように金属押縁５０Ａと樹脂押縁５０Ｂとが組み付けられた後に、上端部Ｔ２及び下端部Ｔ２の切込みに沿って金属押縁５０Ａの係合片部５１３及び折曲片部５１４が折り込まれて、金属押縁５０Ａと樹脂押縁５０Ｂとは一体とは嵌合され一体に構成されている。
【００６１】
このように、樹脂押縁５０Ｂは、金属押縁５０Ａの屋内側から見付け方向の内側を覆うように配置されている。これにより、金属押縁５０Ａは屋内側に露出することはない。
【００６２】
図９は、図６をＥ−Ｅで切断した縦断面図である。
端部キャップ５０Ｃは、樹脂で構成されている。図５、図６及び図９に示すように、端部キャップ５０Ｃは、樹脂下枠２０Ｂの水平面部２０１に載置される下段部６０１と、樹脂下枠２０Ｂの下アングル壁部２０７に載置される上段部６０２と、樹脂下枠２０Ｂの係合壁部２０３に載置される上段部６０３と、を有している。
【００６３】
下段部６０１と上段部６０２とは、連結壁部６０４で連結されている。下段部６０１と上段部６０３とは、連結壁部６０５で連結されている。
【００６４】
下段部６０１の下面には、下方に向かって突出する係合爪部６２１が設けられている。係合爪部６２１は、見込み方向に離間して一対設けられている。各係合爪部６２１は、樹脂下枠２０Ｂの水平面部２０１の取付孔２０１Ｊに係合されている。これにより、端部キャップ５０Ｃは、樹脂下枠２０Ｂに固定されている。
【００６５】
端部キャップ５０Ｃは、上段部６０２、連結壁部６０４、下段部６０１、連結壁部６０５及び上段部６０３の見付け方向の内側の端部から連続して立設され、樹脂押縁５０Ｂの内側面部５６０の外面に沿って配置される立設壁部６０６を有している。
【００６６】
端部キャップ５０Ｃは、上段部６０２の屋内側の端部から立設され、樹脂押縁５０Ｂの連結壁部５８１の外面に沿って配置される立設壁部６０７を有している。
【００６７】
下段部６０１の上面には、上方に向かって立設され、樹脂押縁５０Ｂの外側面部５７０の外面に沿って配置された係合壁部６０８が設けられている。係合壁部６０８には、見付け方向の内側に向かって突出する突起６０９が設けられている。突起６０９は、樹脂押縁５０Ｂの外側面部５７０の下端部５０Ｐに当接している。これにより、樹脂押縁５０Ｂは、下方への移動が規制されている。
【００６８】
下段部６０１の上面には、立設壁部６０６と係合壁部６０８との間に、上方に向かって立設された支持体６１１が設けられている。支持体６１１には、見付け方向の外側に向かって突出する突起６１２が設けられている。樹脂押縁５０Ｂの外側面部５７０は、突起６１２と係合壁部６０８とに挟み込まれている。
【００６９】
図５に示すように、樹脂下枠２０Ｂの係合壁部２０３の見付け方向の外側の端部には、上下方向に形成された貫通孔２０３Ｈが形成されている。貫通孔２０３Ｈには、金属押縁５０Ａの下端部５０Ｘが挿入されている。金属押縁５０Ａの下端部５０Ｘは、樹脂下枠２０Ｂの係合壁部２０３（図２参照。以下同じ。）に係合する金属下枠２０Ａの係合片１１７（図２参照。以下同じ。）に当接している。
【００７０】
端部キャップ５０Ｃの下段部６０１、上段部６０２，６０３は、それぞれ、樹脂下枠２０Ｂの水平面部２０１、下アングル壁部２０７及び係合壁部２０３に当接している。
【００７１】
上記のＦＩＸ窓１００において、図２及び図３に示すように、金属上枠１０Ａ、金属下枠２０Ａ及び金属縦枠３０Ａには、複層ガラス２の端部から離間するように凹む断面視コ字状のガラス受け部（ガラス保持溝）４０がそれぞれに設けられている。複層ガラス２の内外側面とガラス受け部４０の両側部との間には、面クリアランス（空間部）４０Ｓが設けられている。
【００７２】
面クリアランス４０Ｓには、スポンジ等の弾性材４１及びシーリング材４２が設けられている。シーリング材４２は不定形または定形形状であり、例えばシリコーン、変成シリコーン、ウレタン、ブチル等を採用できる。
【００７３】
図２に示す破線Ｐで示す線に沿って、外気の屋内側への通気を阻止及び雨水の屋内側への浸入を阻止する止水ラインが構成されている。下部弁７０の逆止弁機能を有する弁本体８０は止水ラインに配置されており、雨水が屋内側へ逆流することが防止される。
【００７４】
図３に示す破線Ｑで示す線に沿って、外気の屋内側への通気を阻止及び雨水の屋内側への浸入を阻止する止水ラインが構成されている。金属縦枠３０Ａの中間面部３４０に連続して金属押縁５０Ａの基部５１０が設けられるとともに、複層ガラス２の屋内側の面に沿って金属押縁５０Ａが配置されることで、雨水が屋内側へ逆流することが防止される。
【００７５】
次に、上記のＦＩＸ窓１００の施工方法について、主に図１０から図１５を用いて説明する。
図１０は、押縁５を枠体１に取り付ける様子を示す図である。図１１は、図１０のＦ部拡大図である。図１２は、端部キャップ５０Ｃを樹脂押縁５０Ｂに対して下方に移動する様子を示す図である。図１３は、図１２のＧ矢視図である。図１４は、端部キャップ５０Ｃを樹脂押縁５０Ｂに対して下方に移動する前の状態において、図１３をＨ−Ｈで切断した縦断面図である。図１５は、端部キャップ５０Ｃを樹脂押縁５０Ｂに対して下方に移動した後の状態において、図１３をＨ−Ｈで切断した縦断面図である。
【００７６】
（枠体設置工程、ガラスパネル設置工程）
図１０に示すように、建築物の開口部Ｗに枠体１を設置する。図１０及び図１１に示すように、枠体１の上枠１０、下枠２０及び縦枠３０にそれぞれ形成されたガラス受け部４０に複層ガラス２の端部を挿入して、枠体１内に複層ガラス２を納める。
【００７７】
次に、予め工場等で、金属押縁５０Ａと樹脂押縁５０Ｂとが連結されるとともに、金属押縁５０Ａ及び樹脂押縁５０Ｂの下端部に端部キャップ５０Ｃが嵌め込まれた押縁５を用意する。この際に、図１４に示すように、端部キャップ５０Ｃの突起６０９は、樹脂押縁５０Ｂの貫通孔５７０Ｈに係合した状態である。このため、端部キャップ５０Ｃは施工現場で持ち運ぶ際等に、金属押縁５０Ａ及び樹脂押縁５０Ｂの下端部から容易に抜け落ちることがない。
【００７８】
（押縁配置工程）
この押縁５の上端部及び下端部を、それぞれ上枠１０及び下枠２０のガラス受け部４０（図２参照。以下同じ。）の複層ガラス２の屋内側の面クリアランス４０Ｓ（図２参照。以下同じ。）に挿入する。金属押縁５０Ａを複層ガラス２の屋内側の面に当てつつ、図１０の二点鎖線で示すように押縁５を斜めにして移動させて、縦枠３０に沿う位置まで移動させる。具体的には、図１１に示すように、金属押縁５０Ａの係合片部５１２の先端部を、金属縦枠３０Ａの係合突起３４２と係合させる位置に、押縁５を配置する。
【００７９】
（金属押縁固定工程）
次に、金属押縁５０Ａの係合片部５１２の先端部を金属縦枠３０Ａの係合突起３４２と係合させた状態で、押縁５の屋内側を縦枠３０の屋内側に近接させる向き（図１１の矢印１１Ａの向き）に回転させる。そして、樹脂押縁５０Ｂの端部５０Ｙを、樹脂縦枠３０Ｂの端部３０Ｙに係合させて、樹脂押縁５０Ｂを樹脂縦枠３０Ｂに連結させる。
【００８０】
この状態で、金属押縁５０Ａの係合片部５１２の先端部及び突起部５１１は、金属縦枠３０Ａの係合突起３４２及び係合爪部３４１係合して、金属押縁５０Ａと金属縦枠３０Ａとは連結されている。
【００８１】
また、金属押縁５０Ａの下端部５０Ｘ（図５参照。以下同じ。）は、樹脂下枠２０Ｂの貫通孔２０３Ｈ（図５参照。以下同じ。）に挿入され、金属下枠２０Ａの係合片１１７（図２参照。以下同じ。）に当接している。
【００８２】
（樹脂押縁体固定工程）
次に、図１２及び図１５に示すように、押縁５の端部キャップ５０Ｃを下方に移動させる。この際に、樹脂押縁５０Ｂ及び端部キャップ５０Ｃは弾性変形し、突起６０９は、樹脂押縁５０Ｂの外側面部５７０に沿って下方に移動する。
【００８３】
端部キャップ５０Ｃの係合爪部６２１を、樹脂下枠２０Ｂの取付孔２０１Ｊに係合させる。これにより、端部キャップ５０Ｃの下端部が樹脂下枠２０Ｂに当接しつつ、樹脂下枠２０Ｂに固定される。また、端部キャップ５０Ｃの突起６０９は、樹脂押縁５０Ｂの下端部５０Ｐに当接しているため、樹脂押縁５０Ｂの下方への移動及び端部キャップ５０Ｃの上方への移動が規制される。
なお、反対側の押縁５も上記と同様にして、縦枠３０に固定する。
【００８４】
次に、図２に示すように、複層ガラス２の屋外側及び屋内側に弾性材４１及びシーリング材４２と取り付ける。これにより、図２及び図３に示すように、金属上枠１０Ａ、金属下枠２０Ａ及び金属縦枠３０Ａのガラス受け部４０が弾性材４１及びシーリング材４２を支持するとともに、樹脂上枠１０Ｂ、樹脂下枠２０Ｂ及び樹脂押縁５０Ｂの屋外側の端部１０Ｚ，２０Ｚ，５０Ｚ及び金属押縁５０Ａの支持壁部５２２は、シーリング材４２を支持する。つまり、押縁５は、弾性材４１及びシーリング材４２を介して複層ガラス２を支持する。
【００８５】
図１５に示すように、押縁５が枠体１に取り付けられた状態で、樹脂押縁５０Ｂの下端部と端部キャップ５０Ｃとは上下方向に重ね合わさっている。よって、樹脂押縁５０Ｂが熱収縮して、樹脂押縁５０Ｂの下端が上方に移動しても、端部キャップ５０Ｃの上端部が樹脂押縁５０Ｂの下端部を覆っているため、樹脂押縁５０Ｂの下端と端部キャップ５０Ｃの上端との間に隙間が生じることがない。
【００８６】
このように構成されたＦＩＸ窓１００及びのＦＩＸ窓１００の施工方法では、枠体１のガラス受け部４０に複層ガラス２の端部を挿入して枠体１内に複層ガラス２を配置し、押縁５を縦枠３０に沿って配置する。そして、金属押縁５０Ａを金属縦枠３０Ａに固定し、樹脂押縁５０Ｂを樹脂縦枠３０Ｂに固定するとともに、端部キャップ５０Ｃを樹脂押縁５０Ｂから下方にスライドさせて、端部キャップ５０Ｃを樹脂下枠２０Ｂに固定することで、複層ガラス２を保持する押縁５が枠体１に固定される。よって、押縁５が複層ガラス２を保持するために、複層ガラス２を保持するための押縁５以外の部材等を取り付ける必要がなく、簡易な施工で複層ガラス２を保持することができる。
【００８７】
また、金属押縁５０Ａと樹脂押縁５０Ｂとは互いに嵌合されて一体に構成されているため、金属押縁５０Ａ及び樹脂押縁５０Ｂを有する押縁５を縦枠３０に取り付ける際の施工性がよい。
【００８８】
また、端部キャップ５０Ｃが樹脂押縁５０Ｂに対して上下方向にスライド可能な構成であるため、押縁５を縦枠３０に沿って配置させる際には、押縁５の下端部が下枠２０に干渉することがないとともに、下枠２０に固定する際には端部キャップ５０Ｃを下方にスライドさせればよいため、簡易な構成で押縁５を縦枠３０に固定することができる。
【００８９】
また、押縁５の上下端部を、上枠のガラス受け部４０及び下枠のガラス受け部４０の少なくとも一方に挿入して、押縁５を縦枠３０側に移動させることができる。よって、押縁５が上枠１０と下枠２０との間の長さよりも長い場合でも、ガラス受け部４０を利用して押縁５を設置することができる。
【００９０】
また、金属製の金属押縁５０Ａが複層ガラス２を保持しているため、火災時等でも、複層ガラス２が枠体１から脱落することがなく、耐火性を高めることができる。
【００９１】
また、金属押縁５０Ａと金属縦枠３０Ａとの嵌合部分は金属部材同士が連結される構成であるため、当該嵌合部分から雨水等の浸入することが抑制され、止水性を向上させることができる。
【００９２】
また、枠体１は金属下枠２０Ａの屋内側に連結された樹脂下枠２０Ｂを有し、押縁５は金属押縁５０Ａの屋内側に連結された樹脂押縁５０Ｂを有する。よって、樹脂で構成されるとともに屋内側に配置された樹脂下枠２０Ｂ及び樹脂押縁５０Ｂにより、断熱性を確保することができる。
【００９３】
また、樹脂押縁５０Ｂは金属押縁５０Ａの屋内側から見付け方向の内側を覆うように配置されている。よって、金属押縁５０Ａの屋内側への露出が抑制されるため、断熱性を高めることができる。
【００９４】
また、熱等により樹脂押縁５０Ｂが収縮した場合には、樹脂押縁５０Ｂが端部キャップ５０Ｃに対して相対的に上方にスライドし、樹脂押縁５０Ｂと端部キャップ５０Ｃとは上下方向に重なっているため、端部キャップ５０Ｃと樹脂押縁５０Ｂとの間に上下方向に隙間が生じることがない。また、端部キャップ５０Ｃは樹脂下枠２０Ｂに当接しているため、端部キャップ５０Ｃと樹脂下枠２０Ｂとの間に上下方向に隙間が生じることがない。さらに、金属押縁５０Ａの下端部５０Ｘは金属下枠２０Ａに当接しているため、金属押縁５０Ａと金属下枠２０Ａとの間に隙間が生じることがない。したがって、押縁５自体、押縁５と樹脂下枠２０Ｂとの間及び押縁５と金属下枠２０Ａとの間には上下方向に隙間が生じないため、気密性を向上させることができる。
【００９５】
また、樹脂押縁５０Ｂは樹脂縦枠３０Ｂに嵌合されているため、樹脂押縁５０Ｂと樹脂縦枠３０Ｂとの間に隙間が生じることがなく、気密性を高めることができる。
【００９６】
なお、上述した実施の形態において示した各構成部材の諸形状や組み合わせ等は一例であって、本発明の主旨から逸脱しない範囲において設計要求等に基づき種々変更可能である。
【００９７】
例えば、上記に示す実施形態では、建具の一例としてＦＩＸ窓を例に挙げて説明したが、本発明はこれに限られず、框ドア、縦辷り出し窓等他の建具について適用可能である。框ドア、縦辷り出し窓の場合には、枠体は、複層ガラス等のガラスパネルの端部が嵌め込まれた框に相当する。
【符号の説明】
【００９８】
１００…ＦＩＸ窓（建具）
１…枠体
２…複層ガラス（ガラスパネル）
５…押縁
１０…上枠
１０Ａ…金属上枠
１０Ｂ…樹脂上枠
２０…下枠
２０Ａ…金属下枠
２０Ｂ…樹脂下枠
３０…縦枠
３０Ａ…金属縦枠
３０Ｂ…樹脂縦枠
４０…ガラス受け部
４０Ｓ…面クリアランス
４１…弾性材
４２…シーリング材
５０Ａ…金属押縁
５０Ｂ…樹脂押縁
５０Ｃ…端部キャップ（スライド部）
６０…上キャップ
７０…下部弁
８０…弁本体
１１０Ｊ…第二結露水排水孔
２０１Ｈ…第一結露水排水孔
３４０…中間面部
５１０…基部
Ｐ，Ｑ…止水ライン
Ｗ…開口部
【図１】
0006578226.tif 000002
【図２】
0006578226.tif 000003
【図３】
0006578226.tif 000004
【図４】
0006578226.tif 000005
【図５】
0006578226.tif 000006
【図６】
0006578226.tif 000007
【図７】
0006578226.tif 000008
【図８】
0006578226.tif 000009
【図９】
0006578226.tif 000010
【図１０】
0006578226.tif 000011
【図１１】
0006578226.tif 000012
【図１２】
0006578226.tif 000013
【図１３】
0006578226.tif 000014
【図１４】
0006578226.tif 000015
【図１５】
0006578226.tif 000016